(57)【要約】【課題】  簡易な構成によって門扉の開閉操作による門扉本体の変形を抑制し、スムーズに開閉できる伸縮門扉の提供。【解決手段】  門扉本体１と、前後のガイド部材２，３とを備え、門扉本体は、前後の桟４，５を有し且つ戸先側に位置する戸先側格子枠６と、前後の桟４，５を有し且つ戸尻側に位置する戸尻側格子枠７と、両格子枠間に位置する複数の中間格子枠８とをリンク９により結合して左右方向に伸縮自在にしたものであり、前ガイド部材２は、一端を戸先側格子枠６に固定し、他端を戸尻側格子枠７に向けて配置し、他端の前側面を中間格子枠７の前桟４の後側面に当接する位置としてあり、後ガイド部材３は、一端を戸先側格子枠６に固定し、他端を戸尻側格子枠７に向けて配置し、他端の後側面を中間格子枠８の後桟５の前側面に当接する位置としてある。【選択図】      図１
2005188135.tif 000002
【特許請求の範囲】
【請求項１】
門扉本体と、前後のガイド部材とを備え、門扉本体は、前後の桟を有し且つ戸先側に位置する戸先側格子枠と、前後の桟を有し且つ戸尻側に位置する戸尻側格子枠と、両格子枠間に位置する複数の中間格子枠とをリンクにより結合して左右方向に伸縮自在にしたものであり、前ガイド部材は、一端を戸先側格子枠に固定し、他端を戸尻側格子枠に向けて配置し、他端の前側面を中間格子枠の前桟の後側面に当接する位置としてあり、後ガイド部材は、一端を戸先側格子枠に固定し、他端を戸尻側格子枠に向けて配置し、他端の後側面を中間格子枠の後桟の前側面に当接する位置としてあることを特徴とする伸縮門扉。
【請求項２】
門扉本体と、前後のガイド部材とを備え、門扉本体は、前後の桟を有し且つ戸先側に位置する戸先側格子枠と、前後の桟を有し且つ戸尻側に位置する戸尻側格子枠と、両格子枠間に位置する複数の中間格子枠とをリンクにより結合して左右方向に伸縮自在にしたものであり、前ガイド部材は、一端を戸先側格子枠に固定し、他端を戸尻側格子枠に向けて配置し、他端の後側面を中間格子枠の前桟の前側面に当接する位置としてあり、後ガイド部材は、一端を戸先側格子枠に固定し、他端を戸尻側格子枠に向けて配置し、他端の前側面を中間格子枠の後桟の後側面に当接する位置としてあることを特徴とする伸縮門扉。
【請求項３】
中間格子枠は、前桟と後桟に前ガイド部材と後ガイド部材を下方より受ける受け具をそれぞれ有していることを特徴とする請求項１又は２記載の伸縮門扉。
【請求項４】
門扉本体と、前後のガイド部材とを備え、門扉本体は、前後の桟を有し且つ戸先側に位置する戸先側格子枠と、前後の桟を有し且つ戸尻側に位置する戸尻側格子枠と、両格子枠間に位置する複数の中間格子枠とをリンクにより結合して左右方向に伸縮自在にしたものであり、前ガイド部材は、一端を戸先側格子枠に固定し、他端を戸尻側格子枠に向けて配置し、他端の後側面をリンクの前側面に当接する位置としてあり、後ガイド部材は、一端を戸先側格子枠に固定し、他端を戸尻側格子枠に向けて配置し、他端の前側面をリンクの後側面に当接する位置としてあることを特徴とする伸縮門扉。
【発明の詳細な説明】
【技術分野】
【０００１】
本発明は、伸縮門扉に関するものである。
【背景技術】
【０００２】
伸縮門扉の門扉本体は、複数の格子枠をリンクで連結して左右方向に伸縮自在に構成してあり、リンクの支点と格子枠との連結部分などに多少ガタがあるため、門扉を開閉するために門の外側ないし内側から戸先側格子枠の取っ手を把持して動かすと、戸先側格子枠が水平面内で傾こうとし、それが門扉本体全体に伝わって門扉本体が変形し、スムーズな移動が阻害される。また、門扉本体が変形するとリンク機構に負荷が掛かるため、リンク機構を構成する部品が磨耗し、耐久性に悪影響を及ぼすこととなる。
【０００３】
特許文献１には、隣接する格子枠３の外側に係合突起４を設け、係合突起４を装飾体５の裏面に設けた嵌合溝６に摺動自在に嵌合することで、閉門状態における門扉本体の剛性を高め、風圧等による湾曲変形を防止できることが記載されている。しかしこの構成では、門扉を開閉する際に戸先側格子枠が傾いて門扉本体が変形するのを阻止できない。
【０００４】
特許文献２には、いわゆるハンガータイプの伸縮門扉において、格子体の外側に被支持体１５を設け、吊元支柱２とその近傍に立設した補助支柱８との間に被支持体を支持する支持杆９を架設することで、開門状態における門扉本体の垂れ下がり状の変形を防止できることが記載されている。しかしこの構成によっても、門扉を開閉する際に戸先側格子枠が傾いて門扉本体が変形するのを阻止できない。また、補助支柱等を設けるのにコストが多くかかる。
【特許文献１】特開平１０−３７６３９号公報
【特許文献２】特開平１１−１５９２６７号公報
【発明の開示】
【発明が解決しようとする課題】
【０００５】
本発明は以上に述べた実情に鑑み、簡易な構成によって門扉の開閉操作による門扉本体の変形を抑制し、スムーズに開閉できる伸縮門扉の提供を目的とする。
【課題を解決するための手段】
【０００６】
上記の課題を達成するために、請求項１記載の発明による伸縮門扉は、門扉本体と、前後のガイド部材とを備え、門扉本体は、前後の桟を有し且つ戸先側に位置する戸先側格子枠と、前後の桟を有し且つ戸尻側に位置する戸尻側格子枠と、両格子枠間に位置する複数の中間格子枠とをリンクにより結合して左右方向に伸縮自在にしたものであり、前ガイド部材は、一端を戸先側格子枠に固定し、他端を戸尻側格子枠に向けて配置し、他端の前側面を中間格子枠の前桟の後側面に当接する位置としてあり、後ガイド部材は、一端を戸先側格子枠に固定し、他端を戸尻側格子枠に向けて配置し、他端の後側面を中間格子枠の後桟の前側面に当接する位置としてあることを特徴とする。
【０００７】
請求項２記載の発明による伸縮門扉は、門扉本体と、前後のガイド部材とを備え、門扉本体は、前後の桟を有し且つ戸先側に位置する戸先側格子枠と、前後の桟を有し且つ戸尻側に位置する戸尻側格子枠と、両格子枠間に位置する複数の中間格子枠とをリンクにより結合して左右方向に伸縮自在にしたものであり、前ガイド部材は、一端を戸先側格子枠に固定し、他端を戸尻側格子枠に向けて配置し、他端の後側面を中間格子枠の前桟の前側面に当接する位置としてあり、後ガイド部材は、一端を戸先側格子枠に固定し、他端を戸尻側格子枠に向けて配置し、他端の前側面を中間格子枠の後桟の後側面に当接する位置としてあることを特徴とする。
【０００８】
請求項３記載の発明による伸縮門扉は、上記の構成に加え、中間格子枠は、前桟と後桟に前ガイド部材と後ガイド部材を下方より受ける受け具をそれぞれ有していることを特徴とする。
【０００９】
請求項４記載の発明による伸縮門扉は、門扉本体と、前後のガイド部材とを備え、門扉本体は、前後の桟を有し且つ戸先側に位置する戸先側格子枠と、前後の桟を有し且つ戸尻側に位置する戸尻側格子枠と、両格子枠間に位置する複数の中間格子枠とをリンクにより結合して左右方向に伸縮自在にしたものであり、前ガイド部材は、一端を戸先側格子枠に固定し、他端を戸尻側格子枠に向けて配置し、他端の後側面をリンクの前側面に当接する位置としてあり、後ガイド部材は、一端を戸先側格子枠に固定し、他端を戸尻側格子枠に向けて配置し、他端の前側面をリンクの後側面に当接する位置としてあることを特徴とする。
【発明の効果】
【００１０】
請求項１記載の発明による伸縮門扉は、前後のガイド部材により戸先側格子枠と中間格子枠とが平行状態に保持されるため、門扉の開閉操作による戸先側格子枠の傾き及び門扉本体の変形が抑制され、開閉操作をスムーズに行うことができる。また、門扉本体の変形が抑制されることで、リンク機構部への負荷が小さくなってリンクを構成する部品・部材の磨耗が少なくなるため、耐久性が向上する。さらに、門扉本体を縮めた開門状態においては、中間格子枠が前後のガイド部材によって動かないように保持されるため、門扉本体の剛性が向上し、風圧等による門扉本体の変形や騒音の発生を防止できる。本発明では、通常の伸縮門扉の戸先側格子枠に前後のガイド部材を設置するだけの簡単な構成で、このような効果を得ることができる。
【００１１】
また請求項２に発明の構成によれば、前後のガイド部材で中間格子枠を前後から挟むようになるため、同じように門扉開閉時の戸先側格子枠の傾きと門扉本体の変形を防止できる。
【００１２】
請求項３記載の発明による伸縮門扉は、中間格子枠の前桟と後桟に前ガイド部材と後ガイド部材を下方より受ける受け具を有しており、ガイド部材に人が乗るなどして下向き荷重が作用した場合にその荷重を受け具が受けるので、ガイド部材の変形や破損を防止できる。
【００１３】
請求項４記載の発明のように、前後のガイド部材をリンクの前側面と後側面にそれぞれ当接させても、同じように門扉開閉時の戸先側格子枠の傾きと門扉本体の変形を防止できる。
【発明を実施するための最良の形態】
【００１４】
以下、本発明の実施の形態を図面に基づいて説明する。門扉本体１は、図３と図４に示すように、前後の桟４，５を有し且つ戸先側に位置する戸先側格子枠６と、前後の桟４，５を有し且つ戸尻側に位置する戸尻側格子枠７と、前後の桟４，５を有し且つ両格子枠の間に位置する複数の中間格子枠８とを、それぞれの枠の内側でパンタグラフ状のリンク９によって結合し、左右方向に伸縮自在に構成してある。戸尻側格子枠７は、ヒンジ１１で一方の支柱１２に連結してあり、戸先側格子枠６には取っ手１４と、他方の支柱１３への掛け止め具（図示省略）を設けてある。真ん中の中間格子枠８と戸先側格子枠６には、前桟４と後桟５にキャスター装置１５をそれぞれ設けてあり、地面には各キャスター装置１５の車輪を案内する二本のレール１６が平行に設置してある。
【００１５】
戸先側格子枠６の前桟４と後桟５には、図１と図４に示すように、前ガイド部材２と後ガイド部材３をそれぞれ取り付けてある。ガイド部材は金属製の帯状板を用いたアーム状の部材となっており、前ガイド部材２は、一端を戸先側格子枠６の前桟４の後側面に固定し、他端を戸尻側格子枠７に向けて水平に配置してあり、他端の前側面を中間格子枠８の前桟４の後側面に当接する位置としてある。後ガイド部材３は、一端を戸先側格子枠６の後桟５の前側面に固定し、他端を戸尻側格子枠７に向けて水平に配置してあり、他端の後側面を中間格子枠８の後桟５の前側面に当接する位置としてある。前後のガイド部材２，３の長さは、門扉本体１を最大に伸ばした閉門状態でも、戸先側格子枠６のすぐ隣の中間格子枠８の前桟４と後桟５に当接した状態が維持される長さとしてあり、且つ先端の桟への当接面側に斜めの面取り１７を施してある。
【００１６】
戸先側格子枠６のすぐ隣の中間格子枠８の前桟４と後桟５には、図２に示すように、前ガイド部材２と後ガイド部材３を下方より支持する受け具１０をそれぞれ設けてある。門扉本体１を縮めていくと、前後のガイド部材２，３は、中間格子枠８の前桟４と後桟５にそれぞれ当接したまま摺動し、順次隣の中間格子枠８の前後桟４，５間に挿入される。
【００１７】
本伸縮門扉は以上のように構成され、門扉を開閉するため、門の外側ないし内側から戸先側格子枠６を取っ手１４を把持して動かしたときでも、前後のガイド部材２，３の作用によって戸先側格子枠６の水平面内の傾きが防がれ、門扉本体１の変形を抑制することができ、戸先側格子枠６がレール１６の長手方向と直角な状態に常時維持されることから、門扉の開閉をスムーズに行うことができる。また、門扉本体１を縮めた開門状態では、図５に示すように、前後のガイド部材２，３の先端が戸尻側格子枠７にまで達し、各中間格子枠８の枠内に、前後のガイド部材２，３が前桟４と後桟５に当接する状態で挿通されることから、戸先側格子枠６と中間格子枠８の前後方向の移動が阻止され、風圧による門扉本体１の変形や騒音の発生を防止できる。また、中間格子枠８の前桟４と後桟５に、前後のガイド部材２，３を受ける受け具１０をそれぞれ設置してあることで、ガイド部材２，３に人が乗るなどして下向き荷重が掛かった場合でも、ガイド部材２，３の変形を防止できる。
【００１８】
図６は、ガイド部材の設置状態の別の例を示している。前ガイド部材２と後ガイド部材３はアーム状に形成され、戸先側格子枠６の下桟１８の上面に一端を固定し、他端を戸尻側格子枠７に向けて配置してある。そして前ガイド部材２は、その前側面が中間格子枠８の前桟４の後側面に当接しており、後ガイド部材３は、その後側面が中間格子枠８の後桟５の前側面に当接している。このようにガイド部材２，３を設置しても、門扉開閉時の戸先側格子枠６の傾き及び門扉本体１の変形を防止できる。同様にして、ガイド部材２，３を戸先側格子枠６の上桟１９に一端を固定して設けることもできる。
【００１９】
図７は、ガイド部材の設置状態のさらに別の例を示している。前後のガイド部材２，３はアーム状に形成され、前ガイド部材２は、一端を戸先側格子枠６の前桟４の後側面に固定し、他端を戸尻側格子枠７に向けて水平に配置してあり、他端の後側面をリンク９の前側面に当接してある。後ガイド部材３は、一端を戸先側格子枠６の後桟５の前側面に固定し、他端を戸尻側格子枠７に向けて水平に配置してあり、他端の前側面をリンク９の後側面に当接してある。このようにガイド部材２，３を設置しても、同じように門扉開閉時における戸先側格子枠６の傾き及び門扉本体１の変形を防止できる。
【００２０】
図８は、ガイド部材の設置状態のさらに別の例を示している。前後のガイド部材２，３としては、アルミや樹脂等による面状の部材を用いている。前ガイド部材２は、一端を戸先側格子枠６の前桟４に固定し、他端を戸尻側格子枠７に向けて配置し、他端の後側面を中間格子枠８の前桟４の前側面に当接する位置としてある。後ガイド部材３は、一端を戸先側格子枠６の後桟５に固定し、他端を戸尻側格子枠７に向けて配置し、他端の前側面を中間格子枠８の後桟５の後側面に当接する位置としてある。このようにガイド部材２，３を設置しても、同じように門扉開閉時における戸先側格子枠６の傾き及び門扉本体１の変形を防止できる。門扉を閉じたときには、全ての中間格子枠８が前後のガイド部材２，３の間に保持される。
【００２１】
本発明は、以上に述べた実施形態に限定されない。ガイド部材の受け具は、ガイド部材を挿入できる孔の開いた筒状の部材であってもよい。また受け具は、戸先側格子枠のすぐ隣の中間格子枠だけでなく、それ以外の複数の中間格子枠に設けてもよい。前後のガイド部材は、前後の桟の上部と下部、あるいは上桟と下桟に二本ずつ設けてもよい。ガイド部材は、アーム状のもの、面状のもののどちらであっても良いが、アーム状のものの方が目立たない状態で設置でき、また低コストで設置できる。またガイド部材は、中間格子枠を前後から挟むように設置してもよいが、中間格子枠の内側に収容するとより目立たなくできる。また本発明は、レールで案内しないキャスター装置付きの伸縮門扉、キャスター装置を有しないハンガータイプの伸縮門扉にも適用できる。
【図面の簡単な説明】
【００２２】
【図１】本発明に係る伸縮門扉の要部を示す横断面図である。
【図２】戸先側格子枠のすぐ隣の中間格子枠の側面図である。
【図３】閉門状態における伸縮門扉の正面図である。
【図４】門扉本体の戸先側格子枠の側面図である。
【図５】開門状態における伸縮門扉の正面図である。
【図６】ガイド部材の設置状態の別の例を示す戸先側格子枠の側面図である。
【図７】ガイド部材の設置状態のさらに別の例を示す門扉本体の横断面図である。
【図８】ガイド部材の設置状態のさらに別の例を示す門扉本体の横断面図である。
【符号の説明】
【００２３】
１  門扉本体
２  前ガイド部材
３  後ガイド部材
４  前桟
５  後桟
６  戸先側格子枠
７  戸尻側格子枠
８  中間格子枠
９  リンク
１０  受け具
【図１】
2005188135.tif 000003
【図２】
2005188135.tif 000004
【図３】
2005188135.tif 000005
【図４】
2005188135.tif 000006
【図５】
2005188135.tif 000007
【図６】
2005188135.tif 000008
【図７】
2005188135.tif 000009
【図８】
2005188135.tif 000010